【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
ネットワークを介在させた通信を含む処理を行なう情報処理装置であって、
この情報処理装置が接続されたネットワーク環境に存在する固有アドレスを検出し、該ネットワーク環境を認識する環境認識部と、
前記環境認識部で認識されたネットワーク環境に応じて、当該情報処理装置で動作するオペレーティングシステムの動作環境情報を設定する環境設定部と、
を備えたことを特徴とする情報処理装置。
【請求項２】
ネットワーク環境に対応づけられた、前記オペレーティングシステムの動作環境情報を記録したテーブルを有し、
前記環境設定部は、前記テーブルを参照して、前記環境認識部で認識されたネットワーク環境に応じたオペレーティングシステムの動作環境情報を求め、該動作環境情報を設定するものであることを特徴とする請求項１記載の情報処理装置。
【請求項３】
ネットワークを介在させた通信を含む処理を行なう情報処理装置であって、
この情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作環境情報を設定する環境設定部と、
を備えたことを特徴とする情報処理装置。
【請求項４】
ネットワーク環境に対応づけられた、前記アプリケーションプログラムの動作環境情報を記録したテーブルを有し、
前記環境設定部は、前記テーブルを参照して、前記環境認識部で認識されたネットワーク環境に応じたアプリケーションプログラムの動作環境情報を求め、該動作環境情報を設定するものであることを特徴とする請求項３記載の情報処理装置。
【請求項５】
ネットワークを介在させた通信を含む処理を行なう情報処理装置であって、
この情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作状態を遷移させるアプリケーション制御部と、
を備えたことを特徴とする情報処理装置。
【請求項６】
ネットワーク環境に対応づけられた、起動あるいは停止されるアプリケーションプログラムを記録したアプリケーション制御テーブルを有し、
前記アプリケーション制御部は、前記アプリケーション制御テーブルを参照して、前記環境認識部で認識されたネットワーク環境に対応してアプリケーションプログラムを起動あるいは停止させることを特徴とする請求項５記載の情報処理装置。
【請求項７】
ネットワークを介在させた通信を含む処理を行なう情報処理装置で実行される環境設定プログラムであって、該情報処理装置を、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置で動作するオペレーティングシステムの動作環境情報を設定する環境設定部と、
して機能させることを特徴とする環境設定プログラム。
【請求項８】
前記環境設定部は、ネットワーク環境に対応づけられた、前記オペレーティングシステムの動作環境情報を記録したテーブルを参照して、前記環境認識部で認識されたネットワーク環境に応じたオペレーティングシステムの動作環境情報を求め、該動作環境情報を設定するものであることを特徴とする請求項７記載の環境設定プログラム。
【請求項９】
ネットワークを介在させた通信を含む処理を行なう情報処理装置で実行される環境設定プログラムであって、該情報処理装置を、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作環境情報を設定する環境設定部と、
して機能させることを特徴とする環境設定プログラム。
【請求項１０】
前記環境設定部は、ネットワーク環境に対応づけられた、前記アプリケーションプログラムの動作環境情報を記録したテーブルを参照して、
前記環境認識部で認識されたネットワーク環境に応じたアプリケーションプログラムの動作環境情報を求め、該動作環境情報を設定するものであることを特徴とする請求項９記載の環境設定プログラム。
【請求項１１】
ネットワークを介在させた通信を含む処理を行なう情報処理装置で実行される環境設定プログラムであって、該情報処理装置を、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作状態を遷移させるアプリケーション制御部と、
して機能させることを特徴とする環境設定プログラム。
【請求項１２】
前記アプリケーション制御部は、ネットワーク環境に対応づけられた、起動あるいは停止されるアプリケーションプログラムを記録したアプリケーション制御テーブルを参照して、前記環境認識部で認識されたネットワーク環境に対応してアプリケーションプログラムを起動あるいは停止させることを特徴とする請求項１１記載の環境設定プログラム。
【請求項１３】
ネットワークを介在させた通信を含む処理を行なう情報処理装置における環境設定装置であって、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置で動作するオペレーティングシステムの動作環境情報を設定する環境設定部と、
を備えたことを特徴とする環境設定装置。
【請求項１４】
ネットワーク環境に対応づけられた、前記オペレーティングシステムの動作環境情報を記録したテーブルを有し、前記環境設定部は、前記テーブルを参照して、前記環境認識部で認識されたネットワーク環境に応じたオペレーティングシステムの動作環境情報を求め、該動作環境情報を設定するものであることを特徴とする請求項１３記載の環境設定装置。
【請求項１５】
ネットワークを介在させた通信を含む処理を行なう情報処理装置における環境設定装置であって、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作環境情報を設定する環境設定部と、
を備えたことを特徴とする環境設定装置。
【請求項１６】
ネットワーク環境に対応づけられた、前記アプリケーションプログラムの動作環境情報を記録したテーブルを有し、前記環境設定部は、前記テーブルを参照して、前記環境認識部で認識されたネットワーク環境に応じたアプリケーションプログラムの動作環境情報を求め、該動作環境情報を設定するものであることを特徴とする請求項１５記載の環境設定装置。
【請求項１７】
ネットワークを介在させた通信を含む処理を行なう情報処理装置における環境設定装置であって、
前記情報処理装置が接続されたネットワーク環境に存在する固有アドレスを検出し、該ネットワーク環境を認識する環境認識部と、
前記環境認識部で認識されたネットワーク環境に応じて、当該情報処理装置のオペレーティングシステム上で動作するアプリケーションプログラムの動作状態を遷移させるアプリケーション制御部と、
を備えたことを特徴とする環境設定装置。
【請求項１８】
ネットワーク環境に対応づけられた、起動あるいは停止されるアプリケーションプログラムを記録したアプリケーション制御テーブルを有し、前記アプリケーション制御部は、前記アプリケーション制御テーブルを参照して、前記環境認識部で認識されたネットワーク環境に対応してアプリケーションプログラムを起動あるいは停止させることを特徴とする請求項１７記載の環境設定装置。